(57)【要約】【課題】  記録媒体に記録された角度多重のホログラムを再生でき、且つ記録媒体に対する再生用参照光の入射角の補正が可能なホログラム装置を提供する。【解決手段】  光源１１から発せられコリメートレンズ１２を通過した平行光束Ｂ１は、可動ミラー１３の反射面１３ａで反射されて、記録媒体２０へ入射角θ１を有して入射する。記録媒体２０内のホログラムによるブラッグ回折により回折された再生光Ｄａは、出射角θ２で出力され、平面型の受光素子１４で受光され、ホログラムに記録された情報が読み取られる。可動ミラー１３の角度を少なくとも２方向で変化させることにより、前記入射角θ１を変化させて角度多重で記録されたホログラムを再生でき、また入射角を前記の変位方向と直交する方向へ変位させることで、ホログラム領域への再生用参照光Ｂ２の入射角の調整が可能である。【選択図】図３
2008001794.tif 000002
【特許請求の範囲】
【請求項１】
記録媒体に照射される再生用参照光を発する光源と、前記記録媒体のホログラム領域内で前記再生用参照光が回折されて出力される再生光を検出する受光素子とが設けられたホログラム再生装置において、
前記光源から発せられた再生用参照光の前記ホログラム領域への入射角度を、少なくとも２方向で変化させる光軸可変機構が設けられていることを特徴とするホログラム再生装置。
【請求項２】
前記再生用参照光の前記ホログラム領域への入射角度の可変方向は、直交する２方向である請求項１記載のホログラム再生装置。
【請求項３】
前記ホログラム領域への入射角度を第１の方向で変化させることにより、同じホログラム領域に、角度多重で記録されたそれぞれのホログラムの記録情報が再生可能とされ、前記入射角度を第２の方向で変化させることにより、前記ホログラム領域への入射角度の補正が可能となる請求項２記載のホログラム再生装置。
【請求項４】
前記光軸可変機構は、前記光源から発せられた再生用参照光を記録媒体に向けて反射する反射面と、この反射面の角度を変える駆動手段とを有する請求項１ないし３のいずれかに記載のホログラム再生装置。
【請求項５】
前記反射面は、前記光源から発せられた再生用参照光を記録媒体に向ける傾き成分と、反射した再生用参照光を前記ホログラム領域へ所定の入射角で入射させる傾き成分とが合成された傾き角度に設定されている請求項４記載のホログラム再生装置。
【請求項６】
前記記録媒体は平面形状であり、この記録媒体が、前記光軸可変手段および前記受光素子と対向する位置へ装填および離脱自在である請求項１ないし５のホログラム再生装置。
【発明の詳細な説明】
【技術分野】
【０００１】
本発明は、感光材料で形成された記録媒体にホログラムで記録された情報を再生するホログラム再生装置に関する。
【背景技術】
【０００２】
感光材料で形成された記録媒体にホログラムで記録された情報を再生するホログラム再生装置は、光源と、当該光源からの光を再生用参照光として記録媒体に与える光学系と、記録媒体に再生用参照光が与えられ回折されて出力される再生光を検出する受光素子とを有している。【０００３】
以下の特許文献１に記載のホログラム装置では、光源から与えられた再生用参照光を記録媒体に向けて反射する反射ミラーが設けられている。そして、この反射ミラーの角度を変えることにより、記録媒体への再生用参照光の入射角度を変化させて、記録媒体に角度多重で記録されたホログラムの情報を再生できるようにしている。
【特許文献１】特開２００６−５８７２６号公報
【発明の開示】
【発明が解決しようとする課題】
【０００４】
従来のホログラム装置では、記録媒体に対する再生用参照光の入射角度を一方向に向けて変化させることで、角度多重で記録されたホログラムの再生を可能としている。しかし、記録媒体への再生用参照光の入射角度は、一方向にしか変化させることができないのが一般的である。【０００５】
そのため、光源や受光素子を搭載したヘッドと、記録媒体との相対位置が変化した場合に、再生用参照光を適正な入射角度で記録媒体に入射させることができない問題が生じる。【０００６】
本発明は、上記従来の課題を解決するものであり、記録媒体への再生用参照光の角度を少なくとも２方向へ変化させることにより、前記入射角度の補正を容易にできるととともに、多方向に角度多重されたホログラムの再生も可能となるホログラム再生装置を提供することを目的としている。
【課題を解決するための手段】
【０００７】
本発明は、記録媒体に照射される再生用参照光を発する光源と、前記記録媒体のホログラム領域内で前記再生用参照光が回折されて出力される再生光を検出する受光素子とが設けられたホログラム再生装置において、
前記光源から発せられた再生用参照光の前記ホログラム領域への入射角度を、少なくとも２方向で変化させる光軸可変機構が設けられていることを特徴とするものである。【０００８】
例えば、本発明では、前記再生用参照光の前記ホログラム領域への入射角度の可変方向が、直交する２方向である。【０００９】
再生用参照光の入射角度が２方向で変化する本発明のホログラム再生装置は、前記ホログラム領域への入射角度を第１の方向で変化させることにより、同じホログラム領域に、角度多重で記録されたそれぞれのホログラムの記録情報が再生可能とされ、前記入射角度を第２の方向で変化させることにより、前記ホログラム領域への入射角度の補正が可能となる。【００１０】
再生用参照光の入射角度を２方向で変化させることにより、角度多重方向以外の方向での、記録媒体に対する再生用参照光の入射角度の補正を随時行うことができ、常に最適な出射角度の再生光を得ることが可能となる。また、再生用参照光の入射角度を前記第２の方向へ変化させることにより、ホログラムを２方向への角度多重で記録した記録媒体の再生も可能となる。【００１１】
本発明は、例えば、前記光軸可変機構は、前記光源から発せられた再生用参照光を記録媒体に向けて反射する反射面と、この反射面の角度を変える駆動手段とを有するものである。【００１２】
この場合に、前記反射面は、前記光源から発せられた再生用参照光を記録媒体に向ける傾き成分と、反射した再生用参照光を前記ホログラム領域へ所定の入射角で入射させる傾き成分とが合成された傾き角度に設定されている。【００１３】
上記のように反射面を設定することにより、ひとつの反射面によって、光源から発せられた再生用参照光を記録媒体に向けることができ、しかも、記録媒体に対して、再生用参照光を所定の入射角度で入射させることができる。さらに、この反射面を動かすことにより、記録媒体に対する再生用参照光の入射角度の各方向への補正が可能となる。【００１４】
また、本発明は、前記記録媒体は平面形状であり、この記録媒体が、前記光軸可変手段および前記受光素子と対向する位置へ装填および離脱自在なホログラム再生装置において最適である。【００１５】
記録媒体が本体部に取り外し自在なホログラム装置では、記録媒体とヘッドとの対向角度を常に高精度に設定するのが難しい。しかし、前記光軸可変機構を設けることにより、外部から装填される記録媒体に対して、再生用参照光を、最適な入射角度で照射することが可能である。
【発明の効果】
【００１６】
本発明では、記録媒体に対する再生用参照光の入射角度を、少なくとも２方向で可変可能であるため、記録媒体のホログラム領域に対して、再生用参照光を、常に最適な入射角度で与えることが可能である。よって、記録媒体が着脱可能なホログラム再生装置を構成することができる。【００１７】
さらに、入射角度を少なくとも２方向で可変させることにより、２方向またはそれ以上の方向での角度多重でホログラムが記録された記録媒体に対する再生も可能となる。
【発明を実施するための最良の形態】
【００１８】
図１は本発明の実施の形態のホログラム再生装置を、記録媒体が対向する側を上に向けて示す斜視図、図２は、前記ホログラム装置に記録媒体が装填された状態を示す側面図、図３はホログラム装置のヘッドの構成を示す斜視図、図４は光軸可変手段のミラー部および駆動部を背面から見た斜視図、図５は光軸可変手段の断面図、図６はホログラム再生装置の再生動作を図３のＶ矢視方向から見た側面図、図７はその平面図である。【００１９】
図１および図２に示すホログラム再生装置１は、本体２と、この本体２に着脱自在に装着される記録媒体２０とを有している。【００２０】
本体２は、四角形状の外枠３を有しており、この外枠３内にはＸ軸方向に延びるＸ軸送りスクリュー軸４と、このＸ軸送りスクリュー軸４を回転駆動するモータ（図示せず）とが搭載されている。外枠３の内部には、前記外枠３よりもひと回り小さい四角い枠形状の中間移動部材５がＸ軸方向へ移動自在に支持されている。中間移動部材５には、前記Ｘ軸送りスクリュー軸４が挿通される軸受部が設けられ、この軸受部にはＸ軸送りスクリュー軸４のスクリュー溝４ａに弾圧して係合する係合部材（図示せず）が設けられている。前記Ｘ軸送りスクリュー軸４が回転駆動されることにより、中間移動部材５がＸ１方向またはＸ２方向へ移動させられる。【００２１】
中間移動部材５の内部には、Ｙ軸方向に延びるＹ軸送りスクリュー軸６と、このＹ軸送りスクリュー軸６を回転駆動するモータ（図示せず）とが搭載されている。また、中間移動部材５内には、ヘッドベース７がＹ軸方向へ移動自在に支持されている。前記Ｙ軸送りスクリュー軸６は、中間移動部材５のＸ２側の側部に設けられた軸受部内に挿入され、この軸受部には、Ｙ軸送りスクリュー軸６のスクリュー溝６ａに弾圧されて係合する係合部材が設けられている。【００２２】
図２に示すように、このホログラム再生装置１では、記録媒体２０が交換可能となるように、本体２内に着脱自在に装着される。すなわち記録媒体２０は、例えばＸ２方向に向けて差し込まれて装着され、Ｘ１方向へ抜き出されて取り外される。【００２３】
前記ヘッドベース７には、前記記録媒体２０に対向するヘッド１０が設けられている。図３に示すように、前記ヘッド１０は、光源１１、コリメートレンズ１２、可動ミラー１３および受光素子１４を有している。この光源１１は、ＶＣＳＥＬ（面発光レーザ）である。また、光源１１は、パッケージ内に、発光波長帯域がそれぞれ相違する複数のＶＣＳＥＬが収納されており、個々のＶＣＳＥＬから拡散光が得られる。複数のＶＣＳＥＬを選択して点灯させることにより、後述する再生用参照光の波長を変化させることができる。【００２４】
光源１１から発せられた拡散光は、コリメートレンズ１２によって平行光束Ｂ１に変換される。そして、コリメートレンズ１２を経た平行光束Ｂ１は、可動ミラー１３の反射面１３ａで反射され、再生用参照光Ｂ２として記録媒体２０に照射される。【００２５】
また、ヘッド１０には、図４、図５に示すような光軸可変機構が搭載されている。この光軸可変機構は、主にミラー部材、駆動部材３０、コイル部材、軸受け部材５０、固定部材６０からなる。
ミラー部材には、可動ミラー１３、可動ミラーが固定されるミラー支持台３１、該ミラー支持台３１に固定されている可動軸３２を備えている。
この可動軸３２は、前記軸受け部材５０のボール軸受け部５１で傾倒可能に支持されている。そして可動軸３２は、ボール軸受け部５１により支持されている中心点Ｇを通り、かつ中心軸Ｏａに対し互いに直交する仮想軸Ｐ、Ｑを中心とした回動方向へ傾倒変位することができる。【００２６】
可動軸３２の後端部には、駆動部材３０が取り付けられている。この駆動部材３０は、磁性材料板で形成された第１のヨーク３３、この第１のヨーク３３の背部に位置する直方体形状の磁石３５、この磁石３５を挟んで第１のヨーク３３に対向する位置に取り付けられた第２のヨーク３４からなる。これらの部材は全て可動軸３２に固定されている。
また前記第２のヨーク３４には、仮想軸Ｑ方向に沿って相反する方向に延びる腕部３４ａ，３４ａと、仮想軸Ｐ方向に沿って相反する方向に延びる腕部３４ｂ，３４ｂが一体に形成されている。
前記固定部材６０の内側底面には、コイル部材をなす複数のコイルＣ１，Ｃ１，Ｃ２，Ｃ２が配置されている。さらに前記コイルＣ１，Ｃ１は、前記駆動部材３０の腕部３４ａ，３４ａを囲むように一定の隙間を空けて配置されており、コイルＣ２，Ｃ２も腕部３４ｂ，３４ｂを囲むように一定の隙間を空けて配置されている。【００２７】
そして、固定側のコイルＣ１，Ｃ１を流れる電流と、第１のヨーク３３と腕部３４ａ，３４ａとの間を通過する磁界とで電磁力が発揮されると、可動軸３２は、仮想軸Ｐを中心として倒れるように変位する。また、固定側のコイルＣ２，Ｃ２を流れる電流と、第１のヨーク３３と腕部３４ｂ，３４ｂとの間を通過する磁界とで電磁力が発揮されると、可動軸３２は、仮想軸Ｑを中心として倒れるように変位する。これにより、可動ミラー１３の反射面１３ａは、その角度が、前記それぞれの軸を中心とした回動方向へ変位できる。【００２８】
次に、前記ホログラム再生装置１の読み取り動作について説明する。
記録媒体２０は、本体２の外枠３内に外部から装着される。このとき記録媒体２０の表面２１が、ほぼＸ−Ｙ平面と平行となるように、記録媒体２０が位置決めされる。記録媒体２０は、透明な薄い板材の中間に感光材料が封入されたものであり、記録媒体２０のホログラム領域には、予め情報がホログラムとして記録されている。【００２９】
この実施の形態の記録媒体２０には、情報が反射型のホログラムとして記録されている。反射型ホログラムの記録方法は、記録媒体２０の一方の面から記録情報を含む物体光を、また記録媒体２０の他方の面から記録用参照光をそれぞれ所定の角度で照射し、記録媒体の内部で物体光と記録用参照光を交叉させる。これにより、記録媒体２０の内部に、物体光に含まれた「１（明）」「０（暗）」のデータに対応した干渉縞が、厚み方向に重なるように層状に記録される。この干渉縞の向きは、物体光と記録用参照光の交叉角度の二等分線の方向である。【００３０】
上記のようにホログラムが記録された記録媒体２０の表面２１に対して、記録時と同じ所定の入射角θ１で、再生用参照光Ｂ２を照射する。そして、前記再生用参照光Ｂ２がホログラムの干渉縞で強く回折され（反射され）、この回折光が再生光Ｄａとして表面２１から出射される。【００３１】
前記干渉縞による光の回折はブラッグ回折であり、記録用参照光と同じ波長λの再生用参照光を、記録用参照光と同じ入射角θ１で入射させると、角度θ２方向へ最も強く反射する回折光が得られる。そして、理論的には、入射角θ１と出射角θ２は等しい。このように、記録媒体２０に記録されたホログラムから得られる再生光Ｄａは、再生用参照光Ｂ２の波長λが記録用参照光の波長に等しいときに、その強度が最大となり、再生用参照光Ｂ２の入射角度θ１が記録用参照光の入射角に等しいときに、強度が最大の再生光Ｄａが出射角θ２（＝θ１）で得られる。【００３２】
したがって、記録媒体２０の同じホログラム領域（これをブックと呼ぶ）に角度多重で多数のホログラム（これをページと呼ぶ）が記録されている場合、すなわち、記録時に記録用参照光の入射角度を変化させてホログラムが同じ領域に多重で記録されている場合には、図６に示す再生用参照光Ｂ２の記録媒体２０に対する入射角θ１を、記録用参照光の入射角度に合わせて変化させれば、角度多重で記録されたホログラムのそれぞれから強度の大きい再生光Ｄａを得ることができる。【００３３】
ヘッド１０には、では、ＣＭＯＳなどの平面型の受光素子１４と記録媒体２０の間に絞り部材（図示せず）が配置されている。そして、最も強度の大きい再生光Ｄａが絞り部材により抽出されて、受光素子１４で受光される。なお、記録用参照光の焦点を、記録媒体２０の表面２１から離れた位置に設定しておくと、ホログラムの干渉縞で回折されて出力される再生光Ｄａは、位相共益により前記焦点の位置で、光束が絞られる。前記絞り部材はこの再生光Ｄａの絞り部分に配置される。【００３４】
図４に示す駆動機構３０では、可動軸３２が、仮想軸Ｐまたは仮想軸Ｑを中心とする回動方向へ傾倒する。このいずれかの傾倒動作により可動ミラー１３の反射面１３ａの傾き角度を変化させることにより、図６に示すように、再生用参照光Ｂ２の入射角度θ１を変化させる。これにより、同じ領域（ブック）に角度多重で記録された複数のホログラムの記録情報（ページ）を読み取ることができる。【００３５】
また、図４に示す駆動機構３０では、可動ミラー１３の反射面１３ａの角度を、前記の角度多重の再生の際の再生用参照光の変位方向と直交する方向へ変化させることができる。すなわち、前記再生用参照光の変位方向が仮想軸Ｐを中心とする回動方向であるならば、これと直交する方向である仮想軸Ｑを中心とする回動方向への再生用参照光を変位させることが可能となっている。この反射面１３ａの変位により、図６に示す入射角θ１の角度方向と直交する方向での再生用参照光Ｂ２の入射角度を変位させることができる。そしてこの変位により、本体２に対する記録媒体２０の相対位置に狂いが有ったときに、これを補正することができる。【００３６】
すなわち、この実施の形態のホログラム再生装置１では、記録媒体２０が着脱自在である。したがって、ヘッド１０と、記録媒体２０に記録されたホログラム領域との相対位置関係は、記録媒体２０が装着される度に微妙に変化する。【００３７】
そこで、記録媒体２０が装着された後に、可動ミラー１３の反射面１３ａの角度を図６に示す入射角度θ１方向だけではなく、入射角度θ１と直交する方向でも微調整することにより、記録媒体２０に記録されたホログラムに対して、適正な角度で再生用参照光Ｂ２を与えることができるようになる。なお、記録媒体２０が本体２に装着された時点では、ホログラムの角度が図６の入射角度θ１の方向へずれていることがある。しかし、この角度ずれは、可動ミラー１３の角度を変位させて、再生用参照光Ｂ２の入射角θ１を変化させることで補正できる。【００３８】
上記のように、可動ミラー１３の記録媒体２０との対向角度を、少なくとも２つの角度方向へ可変させることにより、記録媒体２０とヘッド１０との対向状態の誤差を補正することができる。【００３９】
さらに、再生用参照光Ｂ２の入射角度を、図６に示す角度θ１と直交する向きに変化させることにより、記録媒体内にホログラムが２方向の角度多重で記録されている場合でも、多重記録されたそれぞれのホログラムを再生することができる。なお、２方向の角度多重は、記録媒体にホログラムを記録する際に、記録用参照光の入射角度を、図６に示す角度θ１の方向と、さらに前記角度θ１と直交する方向（紙面に直交する面内での角度方向）へ変化させて記録動作を行うことにより製作可能である。【００４０】
前記のように、可動ミラー１３の反射面１３ａの角度を変えることにより、１つの領域（ブック）内において、角度多重で記録されたそれぞれのホログラムの記録情報（ページ）の再生が可能である。なお、再生すべきホログラム領域（ブック）を変えるときには、図１に示すホログラム再生装置１のＸ送りスクリュー軸４とＹ送りスクリュー軸６を回転させて、ヘッドベース７をＸ−Ｙ平面内で移動させればよい。【００４１】
また、前記ホログラム再生装置１のヘッド１０では、１つの可動ミラー１３の反射面１３ａにより、平行光束Ｂ１を記録媒体２０に向け、さらに記録媒体２０への再生用参照光Ｂ２の入射角を２方向で変化させることができるようになっている。そのため、ヘッド１０の構成部品を少なくでき、ヘッド１０を小型に構成することが可能である。【００４２】
すなわち、図３と図７に示すように、光源１１からコリメートレンズ１２を経て反射面１３ａに至る光束の光軸は、記録媒体２０の表面２１と平行であり、前記光軸はほぼＸ軸方向へ向けられている。よって、反射面１３ａの傾き角度は、図７の平面図に示すように、Ｘ軸に沿う向きの平行光束Ｂ１を、ほぼ９０度反射させて、ほぼＺ軸方向へ向かう再生用参照光Ｂ２とする第１の傾き成分を有している。この第１の傾き成分は、反射面１３ａが、記録媒体２０の表面２１に対してほぼ４５度となる角度成分である。【００４３】
また、反射面１３ａによって、再生用参照光Ｂ２が、所定の入射角θ１で記録媒体２０に入射される。この角度成分が、反射面１３ａの第２の傾き成分である。反射面１３ａは、前記第１の傾き成分と前記第２の傾き成分とを合成させた傾き角度で記録媒体２０の表面２１に対向している。そして、図４に示す駆動機構３０により、記録媒体２０に入射する再生用参照光Ｂ２の入射角度θ１が変化させられ、また入射角度が前記角度θ１と直交する方向で変化できるようになっている。【００４４】
このように、ヘッド１０が１個の反射面１３ａを有し、また平行光束Ｂ１の光軸が記録媒体２０の表面２１と平行であるため、ヘッドを小型化で且つ薄型化に構成できる。
【図面の簡単な説明】
【００４５】
【図１】本発明の実施の形態のホログラム再生装置を、記録媒体との対向側を上向きにして示す斜視図、
【図２】ホログラム再生装置の本体に記録媒体が装填された状態を示す側面図、
【図３】ヘッドの内部構造を斜め上方から示す部品配置説明図、
【図４】可動ミラーを傾ける駆動機構を反射面と逆側から示す斜視図、
【図５】前記駆動機構を有するミラーアクチュエータの断面図、
【図６】ホログラム再生装置での再生動作を示すものであり、図３のＶ矢視の側面図、
【図７】ホログラム再生装置での再生動作を示すものであり、図３を上から見た平面図、
【符号の説明】
【００４６】
１  ホログラム再生装置
２  本体
３  外枠
４  Ｘ軸送りスクリュー軸
５  中間移動部材
６  Ｙ軸送りスクリュー軸
７  ヘッドベース
１０  ヘッド
１１  光源
１２  コリメートレンズ
１３  可動ミラー
１３ａ  反射面
１４  受光素子
２０  記録媒体
３０  駆動機構
Ｂ２  再生用参照光
Ｄａ  再生光
θ１  入射角
θ２  出射角
【図１】
2008001794.tif 000003
【図２】
2008001794.tif 000004
【図３】
2008001794.tif 000005
【図４】
2008001794.tif 000006
【図５】
2008001794.tif 000007
【図６】
2008001794.tif 000008
【図７】
2008001794.tif 000009
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
記録媒体に照射される再生用参照光を発する光源と、前記記録媒体内に記録されたホログラムデータによって前記再生用参照光が回折されて出力される再生光を検出する受光素子とが設けられたホログラム再生装置において、
前記光源から発せられた再生用参照光を反射して、複数のホログラムデータが角度多重で記録されている単位領域であるブック領域への前記再生用参照光の入射角度を、少なくとも２方向で変化させる光軸可変手段が設けられており、
前記光軸可変手段によって、前記再生用参照光の照射角度が、前記ブック領域に照射される範囲内であって且つ角度多重で記録されたそれぞれの情報を個別に再生できる第１の方向、および前記ブック領域に照射される範囲内であって且つ前記第１の方向と直交する第２の方向へ、それぞれ微小角度で変化させられることを特徴とするホログラム再生装置。
【請求項２】
前記入射角度を第２の方向へ微小角度で変化させることにより、前記ブック領域に記録されたそれぞれのホログラムデータへの前記再生用参照光の照射角度の補正が可能となる請求項１記載のホログラム再生装置。
【請求項３】
前記ブック領域では、複数のホログラムデータが互いに直交する２方向へ角度多重で記録されており、
前記入射角度を第１の方向と第２の方向の双方へ微小角度で変化させることにより、前記ブック領域に記録されたそれぞれのホログラムデータを個別に再生できる請求項１記載のホログラム再生装置。
【請求項４】
前記光源から前記反射面に向かう前記再生用参照光の光軸を第１の光軸とし、前記反射面で反射された前記再生用参照光の光軸を第２の光軸としたときに、
第１の光軸は前記記録媒体の表面と平行であり、前記記録媒体の表面と平行な面で見たときに、第１の光軸と第２の光軸が直交しており、前記記録媒体の表面と直交し且つ第２の光軸を含む垂直面で見たときに、第２の光軸が前記記録媒体へ所定の入射角で入射しており、前記第１の方向の角度変化は前記入射角の変化である請求項１ないし３のいずれかに記載のホログラム再生装置。
【請求項５】
前記光軸可変手段は、前記反射面を傾ける駆動機構を有しており、
前記駆動機構は、前記反射面を互いに直交する仮想軸のそれぞれを中心として回動できるように支持している支持機構と、前記反射面と共に動く第１のヨークおよび第２のヨークと、前記第１のヨークと前記第２のヨークとの間に挟まれた磁石と、前記第２のヨークから互いに直交する方向に延びる腕部とを有しており、
それぞれの腕部が挿入されるコイルが設けられ、前記コイルに流れる電流と前記第１のヨークと前記第２のヨークとの間に生じる磁界とで、前記反射面を互いに直交する２方向へ傾ける駆動力が発せられる請求項１ないし４のいずれかに記載のホログラム再生装置。
【請求項６】
前記第２のヨークに設けられた前記腕部は、前記仮想軸と平行に延びている請求項６記載のホログラム再生装置。
【手続補正２】
【補正対象書類名】明細書
【補正対象項目名】０００７
【補正方法】変更
【補正の内容】
【０００７】
本発明は、記録媒体に照射される再生用参照光を発する光源と、前記記録媒体内に記録されたホログラムデータによって前記再生用参照光が回折されて出力される再生光を検出する受光素子とが設けられたホログラム再生装置において、
前記光源から発せられた再生用参照光を反射して、複数のホログラムデータが角度多重で記録されている単位領域であるブック領域への前記再生用参照光の入射角度を、少なくとも２方向で変化させる光軸可変手段が設けられており、
前記光軸可変手段によって、前記再生用参照光の照射角度が、前記ブック領域に照射される範囲内であって且つ角度多重で記録されたそれぞれの情報を個別に再生できる第１の方向、および前記ブック領域に照射される範囲内であって且つ前記第１の方向と直交する第２の方向へ、それぞれ微小角度で変化させられることを特徴とするものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、前記光源から前記反射面に向かう前記再生用参照光の光軸を第１の光軸とし、前記反射面で反射された前記再生用参照光の光軸を第２の光軸としたときに、
第１の光軸は前記記録媒体の表面と平行であり、前記記録媒体の表面と平行な面で見たときに、第１の光軸と第２の光軸が直交しており、前記記録媒体の表面と直交し且つ第２の光軸を含む垂直面で見たときに、第２の光軸が前記記録媒体へ所定の入射角で入射しており、前記第１の方向の角度変化は前記入射角の変化である。
【国際調査報告】
2008001794.tif 000010
2008001794.tif 000011
2008001794.tif 000012
2008001794.tif 000013